(57)【特許請求の範囲】
【請求項１】
周方向に定間隔をもって軸受軸線方向に延びる保持器バー（５，３）を支持する少なくとも一つのリング状体（１，２）を有し、隣接せる各対の保持器バー（３）がころがり要素を収容する保持器ポケット（４）を形成するラジアルころがり要素軸受のための保持器において、保持器バー（３）の少なくとも一つがグリース（１０）保持のための少なくとも一つのグリース保持要素（６，７：１４）を有しており、上記少なくとも一つのグリース保持要素（６，７：１４）は、半径方向にて、保持器バー（５）の一つから距離をもって設けられ、グリース収容のための空間（８，９）は上記要素（６，７：１４）と保持器バー（５）との間に形成され、グリース保持要素（６，７：１４）は保持器バー（５）と平行な面を有する板状要素であってリング状体（１，２）から突出して該保持器バー（５）と間隔を保ちつつ軸受軸線方向に延び保持器バー（５）と同じ軸受軸線長さであることを特徴とするラジアルころがり要素軸受のための保持器。
【請求項２】
保持器バー（３）は少なくとも一つのグリース収容のための空間（８，９）を有していることとする請求項１に記載の保持器。
【請求項３】
保持器バー（３）は半径方向外方内方の少なくとも一方に位置するグリース保持要素（６，７）を有し、該グリース保持要素は少なくとも一つのグリース（１０）収容のための空間（８，９）を形成していることとする請求項１又は請求項２に記載の保持器。
【請求項４】
保持器は金属で形成され、各保持器バー（３）はグリース収容空間（８，９）を形成するグリース保持要素としての突部（６，７）を備えていることとする請求項３に記載の保持器。
【請求項５】
各突部（６，７）はリング状体（１，２）に連結されていることとする請求項４に記載の保持器。
【請求項６】
保持器バー（３）は突部（６，７）により境界づけられる保持器バー（５）を有し、一つの突部（６）は該保持器バー（５）の半径方向外側に位置し、他の突部（７）は該保持器バー（５）の半径方向内側に位置していることとする請求項５に記載の保持器。
【請求項７】
保持器はプラスチック材で形成され、各突部は保持器バー又はリング状体と一体にモールド成形されていることとする請求項３に記載の保持器。
【請求項８】
グリース保持要素（１４）を有するグリース収容体（１１）が少なくとも一つの保持器バー（１２）に結合されていることとする請求項１、請求項２そして請求項３のうちの一つに記載の保持器。
【請求項９】
グリース収容体（１１）はこれに結合された底部（１３）とフランジ（１４）とを有し、底部（１３）とフランジ（１４）はグリース収容空間を包囲していることとする請求項８に記載の保持器。
【請求項１０】
グリース保持要素は、周方向にて、複数のころがり要素間の有効空間と実質的に等しいこととする請求項１ないし請求項９のうちの一つに記載の保持器。
【請求項１１】
内輪と、外輪と、内輪そして外輪の間に形成された空間に配された一連のころがり要素と、一連のころがり要素の保持のための保持器とを有するラジアルころがり要素軸受において、保持器は請求項１ないし請求項１０のうちの一つに記載の保持器であることを特徴とするラジアルころがり要素軸受。
【発明の詳細な説明】
本発明は、周方向で定間隔をもって軸受軸線方向に延びる保持器バーを支持する少なくとも一つのリング状体を有し、隣接せる各対の保持器バーがころがり要素を収容するラジアルころがり要素軸受のための保持器ポケットを形成する保持器及び該保持器を有するラジアルころがり要素軸受に関する。
【０００１】
かかる保持器は広く知られている。これらの目的はころがり要素間を常時均一な間隔に保つことにある。
【０００２】
通常、ころがり要素軸受は、潤滑のために所定量のグリースが供給されている。理想的には、グリースは油分を次第に放出して、軸受の長期の潤滑を保証する。この点に関連し、潤滑されるべき部品、例えばころがり要素の表面にできるだけ近くグリースを供給することが好ましい。特に、保持器バーに集められたグリースの量は有効的である。これらの量はころがり要素に近く、したがって、ここに油分を直接供給できる。
【０００３】
しかしながら、運転中に生ずる遠心力そして或る程度の粘性は、保持器のグリース保持能力に不利な影響をもたらす。結果として、保持器バー上のグリースは飛散し、ころがり要素あるいは軌道輪の軌道面には供給されないような他の部品に集まってしまう。
【０００４】
本発明の目的は、軸受の潤滑をより良くする保持器を提供することにある。この目的は、保持器バーの少なくとも一つが改善されたグリース保持のための手段を有していることにより達成される。
【０００５】
本発明によると、保持器バーに多くのグリースが付着するようになる。これにより、グリースの耐久期間が長くなると共に、軸受のより信頼性の高い潤滑を得る。
【０００６】
本発明の保持器では、一つもしくはそれ以上の保持器バーは少なくとも一つのグリース収容のための空間を有していることができ、例えば保持器バーは半径方向外方そして／又は内方に位置する要素を有し、該要素が少なくとも一つのグリース収容のための空間を形成している。
【０００７】
本発明による保持器は、種々の形態をとることができる。最初の可能性によると、保持器は金属で形成でき、各保持器バーはグリース収容空間を形成する突部を備えている。各保持器バーは突部により境界づけられるバーを有し、一つの突部は該バーの半径方向外側に位置し、他の突部は該バーの半径方向内側に位置している。これは、保持器に取付自在なプラスチックのリング状体とすることができる。
【０００８】
さらに、保持器はプラスチック材で形成され、各突部は保持器バー又は取付自在なリング状体と一体にモールド成形されることができる。
【０００９】
本発明は、又、内輪と、外輪と、内輪そして外輪の間に形成された空間に配された一連のころがり要素と、そして保持器とを有するころがり要素軸受であって、保持器バーは改善されたグリース保持のための手段を備え、保持手段をもつ該保持器バーはころがり要素間の有効空間を占有していることを特徴とするころがり要素軸受も提供する。
【００１０】
以下、図示された実施形態を参照しつつ、本発明による保持器の例をさらに詳述する。
【００１１】
図１は本発明による保持器の側面図である。
【００１２】
図２は保持器の斜視図である。
【００１３】
図３は図１と図２による保持器の保持器バーの詳細を示す。
【００１４】
図４は本発明による保持器を作るための帯材料の一部を示す。
【００１５】
図５は他の実施形態を示す。
【００１６】
図１と図２に示される保持器は、二つの同心のリング１，２を有し、これらの間で符号３で示される保持器バーが連結されている。保持器バー３の各対はころがり要素（図示せず）を収容するための保持器ポケット４を形成している。
【００１７】
各保持器バー３は、第一バー要素５と、第二バー要素あるいは突部６，７とを有している。これらの突部５〜７の間では、空間８，９が形成され、ここに所定量のグリース１０が収められる。
【００１８】
かくして、各保持器バー３は、各対の保持器バー３の間に収められているころがり要素の表面に近接して、適量のグリース１０を保持できる。
【００１９】
又、バー５〜７は保持器が高速で回転しているときでもグリースを保持できる。グリースは当該ころがり要素の表面へすべての油分を順次直接放出し、好適な潤滑が確保できる。
【００２０】
バー要素５は、当該ころがり要素の範囲にほとんど及ぶような、周方向の幅をもっている。長さは保持器バーの長さとほとんど同じである。
【００２１】
図４は本発明による保持器の製作のための帯材料の一部を示している。この帯は、金属でもよいし、あるいは金属シートに打抜き加工を施すことによっても得られる。
【００２２】
バー６，７は、ポケット８，９を形成するように、バー５の上方そして下方に位置すべく曲げ加工を受けている。
【００２３】
図１ないし図４には本発明による保持器の一例が示されているが、他の形態のものも可能である。例えば、保持器がプラスチックによりモールド成形され、グリース保持のためのポケットが保持器バーで一体にモールド成形される。
【００２４】
プラスチックあるいは金属でスナップ結合される部材もできる。図５に示されるように、プラスチックあるいは金属体１１は保持器バー１２へスナップ結合される。この部材１１は底部１３と二つのフランジ１４とを有し、これらの間にグリースが収容される。底部１３はスナップ手段１５によって保持器バー１２へ結合される。
【図１】
0004463980.tif 000002
【図２】
0004463980.tif 000003
【図３】
0004463980.tif 000004
【図４】
0004463980.tif 000005
【図５】
0004463980.tif 000006